(57)【要約】      （修正有）【課題】飲食物の商品が購入された際に、商品に付着した汚れや購入者の手指・口等汚れを落とすことができる清潔用品も一緒に供給する自動販売機を提供する。【解決手段】飲食物の商品を提供する自動販売機は、商品購入者が購入したい商品を選択する商品選択ボタンと、商品購入者からの投入金額と、商品の販売価格と、を比較して販売可能な商品を判断する販売可能判断部１３０と、販売可能判断部で販売可能と判断され、かつ、商品選択ボタンで選択された商品を搬出する商品制御部１４０と、販売可能判断部で販売可能と判断され、かつ、商品選択ボタンで選択された商品を搬出する際に、清潔用品を搬出する清潔用品制御部１５０と、を備える。【選択図】図２
0003190699.tif 000002
【実用新案登録請求の範囲】
【請求項１】
飲食物の商品を提供する自動販売機であって、
商品購入者が購入したい商品を選択する商品選択手段と、
前記商品購入者からの投入金額と、前記商品の販売価格と、を比較して販売可能な商品を判断する販売可能判断手段と、
前記販売可能判断手段で販売可能と判断され、かつ、前記商品選択手段で選択された商品を搬出する商品制御手段と、
前記販売可能判断手段で販売可能と判断され、かつ、前記商品選択手段で選択された商品を搬出する際に、清潔用品を搬出する清潔用品制御手段と、
を備えることを特徴とする自動販売機。
【請求項２】
前記商品購入者が利用したい清潔用品を選択する清潔用品選択手段を備え、
前記清潔用品制御手段が、前記販売可能判断手段で販売可能と判断され、かつ、前記商品選択手段で選択された商品を搬出する際に、前記清潔用品選択手段で選択された清潔用品を搬出することを特徴とする請求項１に記載の自動販売機。
【請求項３】
前記清潔用品制御手段が、前記販売可能判断手段で販売可能と判断され、かつ、前記商品選択手段で選択された商品が搬出される前に、清潔用品を搬出することを特徴とする請求項１または請求項２に記載の自動販売機。
【請求項４】
前記商品制御手段が、前記販売可能判断手段で販売可能と判断され、かつ、前記商品選択手段で選択された商品を、前記清潔用品制御手段が清潔用品を搬出してから所定時間経過後に搬出することを特徴とする請求項１から請求項３のいずれかに記載の自動販売機。
【考案の詳細な説明】
【技術分野】
【０００１】
本考案は、飲食物の商品を販売する自動販売機において、商品が購入された際に、清潔用品を提供する自動販売機に関するものである。
【背景技術】
【０００２】
自動販売機は屋外に設置されていることが多いため、自動販売機内に保持されている間に商品に塵や埃といった汚れが付着することがある。また、作業をしていて手指等が汚れている人が購入した商品には、手指の汚れが付着してしまうことがある。そのため、自動販売機が販売する商品が飲食物である場合には、商品に付着した汚れや商品購入者の手指の汚れが口に入らないように、衛生面への配慮が必要であった。
【０００３】
そこで、衛生面に配慮した自動販売機が提案されている。例えば、商品を冷却したことにより生じたドレーン水を、商品購入者に対し、外部に所定時間放水することより、商品購入者にペット等の飲み水、洗い水を提供することができる自動販売機が提案されている（例えば、特許文献１参照）。また、缶飲料を販売直前に洗浄することにより、衛生的な商品を提供することができる自動販売機が提案されている（例えば、特許文献２参照）。
【先行技術文献】
【特許文献】
【０００４】
【特許文献１】特開２００６−０４８２７４号公報
【特許文献２】特開平０８−０１６９１４号公報
【考案の概要】
【考案が解決しようとする課題】
【０００５】
しかしながら、特許文献１に記載の発明では、水を提供することはできるが、提供される水は、飲食物の外側や購入者の手指・口等を洗浄できるほど衛生的とは言えないという問題点があった。また、特許文献２に記載の発明では、衛生的な缶飲料を提供することはできるが、せっかく衛生的な缶飲料を提供しても、商品購入者の手指が汚れている場合には、缶飲料を取り出す際や蓋を開閉する際にまた汚れが付着てしまうおそれがあった。また、近くに手洗い場等がないが、飲食物を扱う前に手指をきれいにしたいという商品購入者の要望に応じることはできないという問題点もあった。
【０００６】
そこで、上記課題に鑑みて、本考案では、飲食物の商品を購入された際に、飲食物の商品に付着した汚れや購入者の手指・口等汚れを落とすことができる清潔用品を提供する自動販売機を提供することを目的とする。
【課題を解決するための手段】
【０００７】
本考案は、上記の課題を解決するために、以下の事項を提案している。なお、理解を容易にするために、本考案の実施形態に対応する符号を付して説明するが、これに限定されるものではない。
【０００８】
（１）  本考案は、飲食物の商品を提供する自動販売機（１）であって、商品購入者が購入したい商品を選択する商品選択手段（１２）と、前記商品購入者からの投入金額と、前記商品の販売価格と、を比較して販売可能な商品を判断する販売可能判断手段（１３０）と、前記販売可能判断手段で販売可能と判断され、かつ、前記商品選択手段で選択された商品を搬出する商品制御手段（１４０）と、前記販売可能判断手段で販売可能と判断され、かつ、前記商品選択手段で選択された商品を搬出する際に、清潔用品を搬出する清潔用品制御手段（１５０）と、を備えることを特徴とする自動販売機を提案している。
【０００９】
この発明によれば、飲食物の商品を販売する自動販売機において、飲食物の商品を購入された際に清潔用品を提供することにより、飲食物の商品に付着した汚れや購入者の手指・口等汚れを落とすことができ、商品購入者は衛生的に購入した商品を飲食することができる。
【００１０】
（２）  本考案は、（１）の自動販売機について、前記商品購入者が利用したい清潔用品を選択する清潔用品選択手段（４２）を備え、前記清潔用品制御手段が、前記販売可能判断手段で販売可能と判断され、かつ、前記商品選択手段で選択された商品を搬出する際に、前記清潔用品選択手段で選択された清潔用品を搬出することを特徴とする自動販売機を提案している。
【００１１】
この発明によれば、商品購入者は好みの清潔用品の提供をうけることができる。
【００１２】
（３）  本考案は、（１）または（２）の自動販売機について、前記清潔用品制御手段が、前記販売可能判断手段で販売可能と判断され、かつ、前記商品選択手段で選択された商品が搬出される前に、清潔用品を搬出することを特徴とする自動販売機を提案している。
【００１３】
この発明によれば、商品を提供する前に清潔用品を提供することによって、購入した商品を衛生的に取り扱うことが可能になる。
【００１４】
（４）  本考案は、（１）から（３）の自動販売機について、前記商品制御手段が、前記販売可能判断手段で販売可能と判断され、かつ、前記商品選択手段で選択された商品を、前記清潔用品制御手段が清潔用品を搬出してから所定時間経過後に搬出することを特徴とする自動販売機を提案している。
【００１５】
この発明によれば、商品を提供する前に清潔用品を提供することによって、購入した商品をより衛生的に取り扱うことが可能になる。
【考案の効果】
【００１６】
本考案によれば、飲食物の商品を販売する自動販売機において、飲食物の商品を購入された際に、飲食物の商品に付着した汚れや購入者の手指・口等汚れを落とすことができる清潔用品を提供することができる。
【図面の簡単な説明】
【００１７】
【図１】本考案に係る自動販売機の正面図である。
【図２】本考案に係る自動販売機の制御装置の機能構成を示す図である。
【図３】本考案に係る自動販売機の動作の流れを示すフローチャートである。
【考案を実施するための形態】
【００１８】
以下、図面を用いて、本考案の実施形態について詳細に説明する。なお、本考案形態における構成要素は適宜、既存の構成要素等との置き換えが可能であり、また、他の既存の構成要素との組み合わせを含む様々なバリエーションが可能である。したがって、本実施形態の記載をもって、実用新案登録請求の範囲に記載された考案の内容を限定するものではない。
【００１９】
図１は、本考案に係る自動販売機１の概略正面図の一例である。自動販売機１は、缶入り飲料やペットボトル飲料、パンや菓子等の飲食物の商品を販売する自動販売機であって、商品が購入された際に、清潔用品を併せて提供することができる。ここで、清潔用品とは、商品の外側や商品購入者の手指・口等を洗浄／消毒／滅菌するためのものであって、例えば、おしぼり、手洗いやうがい用の洗浄水のボトル、消毒／滅菌液のスプレー等である。
【００２０】
自動販売機１の前面には、商品用領域１０、料金投入部２０、料金返却部３０、清潔用品用領域４０、および商品取出口５０を備える。また、自動販売機１は内部に制御装置１００、および、複数のコラム（図示せず）を備えている。このコラムは、例えば、サーペンタイン式のラックからなるもので、複数種類の商品および１以上の清潔用品を個別に収納することができる。
【００２１】
商品用領域１０には、販売商品の商品見本１１および商品選択ボタン１２が配置されている。商品選択ボタン１２は、商品購入者が購入したい商品を選択するための押ボタンスイッチであって、商品見本１１に対応して設けられている。なお、商品見本１１は、ディスプレイといった表示装置に商品の外観等を表示したものであってもよい。また、商品選択ボタン１２は、商品が購入可能になった際に、商品購入者に購入可能であることを知らせるためのランプを備えている。なお、ランプは、商品選択ボタン１２が選択された際や、投入金返却レバーが操作された際に消灯する。
【００２２】
料金投入部２０は、紙幣の投入口、硬貨の投入口、ＩＣカードとの無線通信部、投入金返却レバー等を備え、商品購入者から料金の投入を受け付ける。料金返却部３０は、商品購入者による料金支払いにおいて釣り銭が発生した場合に、釣り銭となる硬貨や紙幣を排出する。なお、釣り銭となる紙幣は、料金返却部３０ではなく、料金投入部２０の紙幣の投入口から排出されてもよい。
【００２３】
清潔用品用領域４０は、提供している清潔用品の清潔用品見本４１および清潔用品選択ボタン４２が配置されている。清潔用品選択ボタン４２は、押ボタンスイッチであって、２種類のスイッチを含む。１つは、購入者が利用したい清潔用品を選択するためスイッチであって、清潔用品見本４１に対応して設けられている。もう１つは商品購入者が清潔用品の提供を受けない旨の意思表示を行うためのスイッチである。
【００２４】
なお、清潔用品用領域４０に、清潔用品選択ボタン４２として、清潔用品の提供を受ける旨の意思表示を行うためのボタンと、清潔用品の提供を受けない旨の意思表示を行うためのボタンとの２つのみを配置してもよい。清潔用品の提供を受けるか受けないかの二択からの選択となるため、商品の選択に加えて清潔用品の選択も行うことによるわずらわしさを軽減することができる。
【００２５】
清潔用品選択ボタン４２は、清潔用品が選択可能になった際に、購入者に選択可能であることを知らせるためのランプを備えている。なお、清潔用品見本４１は、ディスプレイといった表示装置に清潔用品の外観等を表示したものであってもよい。
【００２６】
本実施形態では、自動販売機１は清潔用品用領域４０を有しているが、自動販売機１は商品用領域１０のみを有し、清潔用品用領域４０を備えなくてもよい。この場合には、商品が購入されたことに応じて、予めコラムに収納されている清潔用品を自動的に商品購入者に提供し、通常の自動販売機の場合と同じ使用態様にて、清潔用品を提供することが可能となる。
【００２７】
商品取出口５０は、コラムから搬出された商品や清潔用品を商品購入者が受け取るための開口である。
【００２８】
図２は、本考案に係る自動販売機１の制御装置１００の機能構成を示す図である。制御装置１００は、主制御部１１０、投入金額算出部１２０、販売可能判断部１３０、商品制御部１４０、清潔用品制御部１５０、および冷温制御部１６０を備える。
【００２９】
主制御部１１０は、ＣＰＵ、ＲＡＭ、ＲＯＭ、タイマ回路等を備えたコンピュータから構成され、自動販売機１を制御する。また、主制御部１１０は、制御プログラムを記憶するメモリ１１１を備え、制御プログラムを実行することで、投入金額算出部１２０、販売可能判断部１３０、商品制御部１４０、清潔用品制御部１５０、および冷温制御部１６０を実現するとともに制御する。
【００３０】
投入金額算出部１２０は、料金投入部２０に投入された料金から投入金額を算出する。販売可能判断部１３０は、投入金額算出部１２０で算出した投入金額と販売商品それぞれの販売価格とを比較し、投入金額よりも販売価格が低い商品を販売可能と判断する。そして、販売可能判断部１３０は、販売可能と判断した商品を、主制御部１１０を介して商品制御部１４０に通知する。このとき、併せて、清潔用品制御部１５０に通知してもよい。なお、料金投入部２０に料金が投入されて、投入金額算出部１２０が投入金額を算出する毎に、販売可能判断部１３０は、投入金額と販売商品それぞれの販売価格とを比較する。
【００３１】
商品制御部１４０は、主制御部１１０を介して販売可能判断部１３０から通知を受信すると、販売可能と判断した商品に対応する商品選択ボタン１２のランプを点灯させて、商品購入者に購入可能な商品を知らせる。そして、商品制御部１４０は、主制御部１１０を介して商品選択ボタン１２が押下されたことを検出すると、押下された商品選択ボタン１２に対応する商品を搬出する指示を、主制御部１１０を介してコラムに行い、商品取出口５０に商品を搬出させる。また、商品制御部１４０は、投入金額算出部１２０で算出した投入金額が選択された商品の販売価格を上回っている場合には、主制御部１１０に釣銭の返却指示を行い、料金返却部３０に釣銭を返却する。
【００３２】
清潔用品制御部１５０は、主制御部１１０を介して商品選択ボタン１２が押下されたことを検出すると、清潔用品選択ボタン４２のランプを点灯させて、商品購入者に清潔用品が提供可能なことを知らせる。清潔用品制御部１５０は、押下された清潔用品選択ボタン４２に対応する清潔用品を搬出する指示を、主制御部１１０を介してコラムに行い、商品取出口５０に清潔用品を搬出させる。
【００３３】
なお、商品購入者が清潔用品の提供を受けない旨の意思表示を行うための清潔用品選択ボタン４２が押下された場合には、清潔用品制御部１５０は、商品取出口５０に清潔用品を搬出させない。また、清潔用品選択ボタン４２のランプが点灯してから所定時間経過しても清潔用品選択ボタン４２が選択されない場合には、清潔用品制御部１５０は、商品取出口５０に清潔用品を搬出させない。なお、ランプは、清潔用品選択ボタン４２が選択された際や、所定時間経過後に消灯する。
【００３４】
また、清潔用品制御部１５０は、主制御部１１０を介して販売可能判断部１３０から通知を受信すると、商品制御部１４０が商品選択ボタン１２のランプを点灯させて購入可能な商品を知らせるとともに、清潔用品選択ボタン４２のランプを点灯させて、清潔用品が提供可能なことを知らせてもよい。この場合に、商品選択ボタン１２が押下される前に、清潔用品選択ボタン４２が押された場合には、主制御部１１０は、商品制御部１４０からの商品を搬出する指示を受信した後に、清潔用品制御部１５０からの清潔用品を搬出する指示をコラムに送信する。それにより、商品購入前に、清潔用品が商品取出口５０に搬出されるのを防ぐことができる。
【００３５】
主制御部１１０は、清潔用品制御部１５０からの清潔用品を搬出する指示をコラムに送信した後に、商品制御部１４０からの商品を搬出する指示をコラムに送信するのが望ましい。それにより、清潔用品が商品よりも先に商品購入者に提供することができ、商品購入者は商品を取得する前に購入者の手指・口等汚れを落とすことができる。更には、主制御部１１０は、清潔用品制御部１５０から清潔用品を搬出する指示をコラムに送信してから所定時間が経過した後に、商品制御部１４０からの商品を搬出する指示をコラムに送信するのも望ましい。それにより、商品取出口５０が汚れている場合に、商品購入者は、商品が搬出される前に商品取出口５０の汚れを落とすことができる。
【００３６】
冷温制御部１６０は、コラムに収納されている商品および清潔用品を冷やしたり、温めたりする冷熱装置（図示せず）を制御する。清潔用品、特におしぼりや洗浄水を冷やしたり、温めたりできることにより、購入された商品がホットの場合には温かいおしぼりや温かい洗浄水を提供し、購入された商品がコールドの場合には冷たいおしぼりや冷たい洗浄水を提供することが可能となる。また、外気温に応じて、おしぼりや洗浄水を冷やしたり温めたりしてもよく、２０度以下なら温かいおしぼりや洗浄水を提供できるように温め、２０度以上ならば冷たいおしぼりや洗浄水を提供できるように冷やしておくことも可能となる。
【００３７】
図３は、本考案に係る自動販売機１の動作の流れを示すフローチャートである。自動販売機１の動作は、料金投入部２０に購入者が料金を投入すると、処理が開始する。
【００３８】
まず、投入金額算出部１２０が、料金投入部２０に投入された料金から、投入金額を算出する（ステップＳ１）。次に、販売可能判断部１３０は、販売商品それぞれについて、販売価格とステップＳ１で算出された投入金額とを比較し、投入金額よりも販売価格が低い商品を販売可能な商品と判断する（ステップＳ２）。
【００３９】
次に、販売可能判断部１３０は、販売可能と判断した商品を主制御部１１０に通知し、主制御部１１０は、販売可能と判断された商品に対応する商品選択ボタン１２のランプを点灯させる（ステップＳ３）。次に、商品制御部１４０は、商品選択ボタン１２が押下されたか否かを判断する（ステップＳ４）。商品選択ボタン１２が押下されていない場合（ＮＯ）には、ステップＳ４に処理を戻す。なお、商品選択ボタン１２が押下されていない場合であっても、投入金返却レバーが操作された場合には処理を終了する。
【００４０】
一方、商品選択ボタン１２が押下された場合（ＹＥＳ）には、商品制御部１４０は、押下された商品選択ボタン１２に対応する商品を搬出する指示を、主制御部１１０に送信する（ステップＳ５）。次に、清潔用品制御部１５０は、清潔用品選択ボタン４２のランプを点灯させる（ステップＳ６）。次に、清潔用品制御部１５０は、清潔用品選択ボタン４２が押下されたか否かを判断する（ステップＳ７）。清潔用品選択ボタン４２が押下された場合（ＹＥＳ）には、清潔用品制御部１５０は、押下された清潔用品選択ボタン４２に対応する清潔用品を搬出する指示を、主制御部１１０を介してコラムに行い、商品取出口５０に清潔用品を搬出させる（ステップＳ８）。
【００４１】
一方、清潔用品制御部１５０は、清潔用品選択ボタン４２が押下されない場合（ＮＯ）には、所定時間が経過したか否かを判断する（ステップＳ９）。所定時間が経過していない場合（ＮＯ）には、清潔用品制御部１５０は、ステップＳ７に処理を戻す。一方、所定時間が経過している場合（ＹＥＳ）、または、ステップＳ８で清潔用品が搬出された後に、主制御部１１０は、商品制御部１４０からの商品を搬出する指示をコラムに行い、商品取出口５０に商品を搬出させる（ステップＳ１０）。
【００４２】
本実施形態の自動販売機１において、清潔用品は商品が購入された際のサービスとして提供されるが、清潔用品に販売価格を設定して、商品が購入されない場合に、清潔用品を購入できるようにしてもよい。
【００４３】
以上説明したように、本考案によれば、飲食物の商品を販売する自動販売機において、飲食物の商品を購入された際に清潔用品を提供することにより、飲食物の商品に付着した汚れや購入者の手指・口等汚れを落とすことができ、商品購入者は衛生的に購入した商品を飲食することができる。また、商品を提供する前に清潔用品を提供することによって、購入した商品を衛生的に取り扱うことが可能になる。
【００４４】
以上、この考案の実施形態につき、図面を参照して詳述してきたが、具体的な構成はこの実施形態に限られるものではなく、この考案の要旨を逸脱しない範囲の設計等も含まれる。
【符号の説明】
【００４５】
１      自動販売機
１０    商品用領域
２０    料金投入部
３０    料金返却部
４０    清潔用品用領域
５０    商品取出口
１００  制御装置
１１０  主制御部
１１１  メモリ
１２０  投入金額算出部
１３０  販売可能判断部
１４０  商品制御部
１５０  清潔用品制御部
１６０  冷温制御部
【図１】
0003190699.tif 000003
【図２】
0003190699.tif 000004
【図３】
0003190699.tif 000005